(57)【特許請求の範囲】
【請求項１】
サッカーボールを静止状態で載置可能なテーブルと、該テーブルを上下方向に移動させる昇降手段と、上記テーブルを水平左右方向に移動させるスライド手段と、上記テーブルに載置されたサッカーボールを外部方向に打ち出す手段と、を有して構成されてなり、上記テーブルを、上記昇降手段又は／及びスライド手段によって移動させることで、上記打ち出し手段のサッカーボールとの当り面を相対的に調整可能に構成し、サッカーボールの打ち出し方向を可変可能としたことを特徴とするサッカー練習装置。
【請求項２】
前記サッカーボールを外部方向に打ち出す手段は、スプリングの付勢力で高速前進するロッドで構成されていることを特徴とする請求項１に記載のサッカー練習装置。
【発明の詳細な説明】
【０００１】
【産業上の利用分野】
この発明は、サッカーボールを任意の方向にストレートに或はスピンを掛けて打ち出したり、ワンバウンドさせたりすることができるサッカー練習装置に関する。
【０００２】
【従来技術とその課題】
近年、例えば、プロサッカーの隆盛には目覚ましいものがあり、従って、小学生や中高生等の間でサッカー練習が隆盛となっているが、飛翔等するサッカーボールを相手にする各種の練習に際しては、従来から、所謂マンツウマン方式の練習が実践されているのみである。
【０００３】
一方、サッカー競技においては、パスを受けたりヘディングを繰り返し行なったり、さらには、ボレーシュートを繰り返し行なう反復練習が基礎技術を習得する上で非常に重要である。
【０００４】
しかしながら、これまでに、サッカーボールを飛ばせて上記パス受け等の練習を一人で実践できるようにした装置類は多く提案されていない。
【０００５】
従って、バレーボール練習においても同様であるが、飛翔等するボールを相手にしての諸練習を一人で実践できるようにした装置類の出現が強く望まれているのが現状である。
【０００６】
ところで、野球やテニスで利用する小径のボールを飛ばす装置類については、例えば、アームを縦回転してボールを飛翔させるものや２個の水平に回転するタイヤの間を通してボールを飛ばすもの等が公知である。
【０００７】
そこで、この小径のボールを飛ばす装置を大径のボールを飛ばす装置に転用することを提案し得るが、その場合には、装置全体がいたずらに大型化し、コスト高となり、また、装置の設置や後片付けが非常に煩雑となり、実用的ではない、という問題がある。
【０００８】
この発明は、かかる現状に鑑み創案されたものであって、その目的とするところは、サッカーボールを自動的に目的の場所まで飛ばしたりすることで、個人練習を手軽に行なうことができ、しかも、装置が大型化することなく廉価に提供することができるとともに、装置の設置や後片付けも容易なサッカー練習装置を提供しようとするものである。
【０００９】
【課題を解決するための手段】
上記目的を達成するため、請求項１に記載のサッカー練習装置は、サッカーボールを静止状態で載置可能なテーブルと、該テーブルを上下方向に移動させる昇降手段と、上記テーブルを水平左右方向に移動させるスライド手段と、上記テーブルに載置されたサッカーボールを外部方向に打ち出す手段と、を有して構成されてなり、上記テーブルを、上記昇降手段又は／及びスライド手段によって移動させることで、上記打ち出し手段のサッカーボールとの当り面を相対的に調整可能に構成し、サッカーボールの打ち出し方向を可変可能としたことを特徴とするものである。
【００１０】
また、請求項２に記載の発明にあっては、前記サッカーボールを外部方向に打ち出す手段は、スプリングの付勢力で高速前進するロッドで構成されていることを特徴とする。
【００１１】
【作用】
それ故、この発明に係るサッカー練習装置にあっては、テーブル上に静止状態で載置されたサッカーボールは、打ち出し手段によって外部所定方向へと打ち出される。このとき、打ち出し手段を構成するロッド体がボールの球芯に当たった場合には、該ボールはストレートに飛ぶ。また、昇降手段でテーブルが上昇され、ロッド体がボールの球芯から外れた下方位置に当たった場合には、ボールはフライの状態で飛ぶ。さらに、昇降手段でテーブルが下降され、ロッド体がボールの球芯から外れた上方位置に当たった場合には、ボールはバウンドの態様で打ち出される。
【００１２】
一方、上記スライド手段でテーブルが水平左右方向のいずれか一方向に移動され、ロッド体がボールの球芯から外れた左右のいずれか一方位置に当たった場合には、ボールが左右方向のいずれかの方向にスピンを掛けられた状態で曲がりながら飛ぶ。
【００１３】
【実施例】
以下、添付図面に示す一実施例に基づいてこの発明を詳細に説明する
【００１４】
図１に示すように、本発明の一実施例に係るサッカー練習装置は、ボールＢをその上面に静止状態に載置させるテーブル１と、該テーブル１上に載置されたボールＢを所定外部方向に打ち出す装置２と、上記テーブル１を上下方向に昇降させる昇降装置３と、上記テーブル１を水平左右方向に移動させるスライド装置４と、から構成されており、これらテーブル１および各装置は、ハウジング５内に配設されて構成されている。
【００１５】
テーブル１は、テーブル本体１１の上面にサッカーボールＢを静止状態に載置保持するもので、ボールＢの直径に略相当する直径を有する円板から構成されていると共に、その上面には衝撃吸収材としての適宜の厚さのクッション材１２が敷設されて構成されている。
【００１６】
このクッション材１２は、ボールＢが上方から落下されるとき、該ボールＢをテーブル本体１１の上面でリバウンドさせないために配設されていると共に、該クッション材１２との間の摩擦抵抗によって、ボールＢがテーブル本体１１の上面で転動せずに静止状態で保持されるように構成されている。
【００１７】
また、上記テーブル本体１１には、図２に示すように、その上面の中央に浅い凹部１１ａが形成されており、該凹部１１ａが上記クッション材１２によって覆われるように構成されている。
【００１８】
このようにテーブル本体１１に凹部１１ａを設けることで、該テーブル本体１１の上面にボールＢが載置されたとき、該凹部１１ａを覆うクッション材１２が撓んで凹部１１ａ内にボールＢをやや落とし込むようにガイドするため、ボールＢがテーブル本体１１の上面中央に正確に位置決められ、安定したボールコントロールを実現することができる。
【００１９】
一方、上記テーブル１は、上記テーブル本体１１の下面に下方に向けて延在される支持軸１３を有しており、該支持軸１３は後述する昇降装置３に連繋されている。
【００２０】
打ち出し装置２は、上記テーブル１上に載置されているボールＢを外部所定方向に打ち出すもので、図３に示すように、その先端がテーブル１上に載置されているボールＢに高速で衝突するロッド体２１と、該ロッド体２１の後端側に介装されたスプリング２２と、を有して構成されている。
【００２１】
上記ロッド体２１は、棒状体からなり、図１及び図３中で左右方向となる前後方向で一対となるブラケット２３，２４に摺動可能に保持され、図１及び図２中で右側となる先端側の外周には、フランジ２５が一体的に固着されている。
【００２２】
また、上記スプリング２２は、コイルスプリングで構成されており、上記後方側となるブラケット２４と上記フランジ２５との間に介設されていると共に、その内周側に上記ロッド体２１が臨在するように取り付けられている。
【００２３】
そして、上記打ち出し装置２には、上記スプリング２２の収縮及びその解除を行なう駆動装置６が配設されている。
【００２４】
この駆動装置６は、図１及び図３に示すように、モータ等の駆動源６１で水平一方向（図３中、矢印ａで示す方向）に低速回転される円形の基盤６２を有して構成されており、該基盤６２の上面には、上方に向けて適宜長さで突出する係止ピン６３が配設されている。
【００２５】
この係止ピン６３は、上記基盤６２が水平回転されるときに、図３に示すように、略３０度の回転範囲内で上記ロッド体２１に連設されたフランジ２５と当接して、ロッド体２１を、スプリング２２の付勢力に抗して後退方向へと押圧するように配設されている。
【００２６】
そして、上記係止ピン６３は、上記フランジ２５を最後退させた状態のとき、即ち、スプリング２２を最も圧縮した状態（図３中の破線図参照）から、基盤６２がさらに回転されることで、上記フランジ２５との係合状態を解除し、これにより、上記ロッド体２１はスプリング２２の付勢力によってボールＢ方向へと高速で移動してボールＢに衝突し、該ボールＢをハウジング５の外方向へと打ち出すように構成されている。
【００２７】
尚、上記駆動装置６は、ストップスイッチ（図示せず）をオンさせない限り、上記基盤６２が一定スピードで回転するため、ボールＢの打ち出し作動は、結果として、間欠的に行なわれることになる。
【００２８】
昇降装置３は、前記テーブル１を上下方向に昇降させるものであって、この実施例では、スクリューロッドで構成された上記支持軸１３と、該支持軸１３を正逆回転させる減速機を備えたモータ（図示せず）と、から構成されており、該モータの作動方向を選択させて駆動させると、上記テーブル１が図１中矢印ｂで示す方向に昇降し、テーブル１の上面に載置されているボールＢの球芯が上下方向の所望の位置まで偏芯するように構成されている。
【００２９】
スライド装置４は、上記テーブル１を図３中矢印ｃで示す横方向に移動させるものであって、上記テーブル１を昇降させる昇降装置３が上面に固着されたケーシング４１と、このケーシング４１を水平方向に移動させるラックアンドピニオン機構と、から構成されている。
【００３０】
このラックアンドピニオン機構は、上記ケーシング４１に両端が固定的に連設されるラック軸４２と、該ラック軸４２に噛合するピニオンギア４３と、該ピニオンギア４３を駆動する駆動源４４と、から構成されており、該ピニオンギア４３が駆動源４４により回転されると、ラック軸４２が図４中左右方向となる横方向に移動して、ケーシング４１を同方向に移動させるので、その上面に連設された昇降装置３が図４中矢印ｄで示す横方向にスライド移動する。
【００３１】
それ故、上記スライド装置４により上記テーブル１が左右方向に移動した場合には、上記ロッド体２１はボールＢの球芯から水平方向に外れた部位に衝突することになり、従って、ボールＢは、上下左右のいずれか一方向にスピンが加えられた状態で曲がりながら飛ぶことになる。
【００３２】
ハウジング５は、図１に示すように、テーブル１の上方に開口してボールＢを通過させるボール投入口５１と、該ボール投入口５１に向けてハウジング５の上面側でボールＢを転動させるシュート５２と、上記テーブル１上から打ち出されるボールＢを外部へと飛び出させるボール出口５３と、から構成されている。
【００３３】
そして、該ハウジング５には、上記シュート５２部分に配設され外部操作によって作動してシュート５２上のボールＢの転動を阻止し或は転動を許容するストッパ機構７と、上記ボール投入口５１近くに配設されシュート５２上を転動してきたボールＢがボール投入口５１の近くまで到達したことを検知する光センサ５４と、上記ボール出口５３に配設され該ボール出口５３をボールＢが通過したことを検知する光センサ５５と、を有して構成されている。尚、図中符号５６は、ハウジング５の背面に形成されたロッド体２１の逃げ用透孔である。
【００３４】
それ故、この実施例に係る練習装置にあっては、上記各光センサ５４，５５が検知した情報に基づいて上記ストッパ機構７を作動させることで、ボールＢを自動的にテーブル１へと供給することができる。
【００３５】
尚、上記ストッパ機構７は、ハウジング５の上面に配設されており、上記シュート５２を横切るように配設されている。
【００３６】
即ち、該ストッパ機構７は、図５に示すように、上記ハウジング５の上面に適宜の間隔を有して立設された一対の回転支柱７１と、該各回転支柱７１に４５度間隔で植設され水平方向に延びる夫々４本のストッパ片７２と、を有して構成されており、相対向するストッパ片７２が図５中矢印ｅで示す方向に回転移動すると、相対向するストッパ片７２の間に挟まれたボールＢが図５中矢印ｆで示す方向に移動し、上記シュート５２からテーブル１の方向へと落下すると共に、次のボールＢが２個のストッパ片７２の間へと送られ、以後、この作動を順次繰り返すように構成されている。
【００３７】
それ故、このストッパ機構７の回転支柱７１を、前記各光センサ５４，５５による検知情報に基づいて作動するように設定することで、ボールＢを所定のタイミングで自動的に供給することができる。
【００３８】
勿論、上記ハウジング５の下面には、キャスタ（図示せず）を配設することができ、この場合には、本練習装置の利用場所への移動設置や後片付けのための移送が容易になる。
【００３９】
尚、上記実施例では、打ち出し装置２をスプリング２２の付勢力を利用したロッド体２１で構成した場合を例にとり説明したが、この発明にあっては、これに限定されるものではなく、これに代えて、例えば、流体圧シリンダで構成し、或は、バットを回転させてボールＢを打ち出すように構成することもでき、さらには、スプリングの付勢力によってロッド体を跳ね上げるように構成しても同様の効果が得られる。
【００４０】
また、昇降装置３は、スクリューロッドに代えて公知の流体圧シリンダを利用しても良く、また、スライド装置４もラックアンドピニオン機構に代えて公知のスクリューロッド或はベルトアンドプーリ機構で構成してもよい。
【００４１】
【発明の効果】
この発明は、以上説明したように、サッカーボールをその上面に静止状態に載置させるテーブルと、このテーブル上に載置のボールを前方外部に向けて打ち出す打ち出し装置と、上記テーブルを上下方向に昇降させる昇降装置と、で構成したので、サッカーボールをフライやバウンド状態で目的の位置まで飛ばすことができ、サッカー球技における諸練習を一人で行なうことができ、また、スライド装置によりボールとの当り面を相対的に変更することができるように構成したので、ボールにスピンを掛けて実践に対応する高度の技術も習得することができると共に、装置を小型化できるので、目的場所への移動設置や後片付けを一人でも行なうことができ、しかも、構成が簡易なので廉価に提供することができる等、幾多の優れた効果を奏する。
【図面の簡単な説明】
【図１】この発明の一実施例に係るサッカー練習装置の構成を示す縦断面図である。
【図２】同練習装置に配設されるテーブルの他の実施例の構成を部分的に拡大して示す縦断面図である。
【図３】同練習装置の打ち出し装置を示す平面図である。
【図４】図３中のＡ−Ａ線で示すスライド装置の縦断面図である。
【図５】同練習装置のストッパ機構を示す平面図である。
【符号の説明】
Ｂサッカーボール
１テーブル
２打ち出し装置
３昇降装置
４移動装置
５ハウジング
６駆動装置
７ストッパ機構
２１ロッド体
２２スプリング
３１スクリューロッド
【図１】
0003590829.tif 000002
【図２】
0003590829.tif 000003
【図３】
0003590829.tif 000004
【図４】
0003590829.tif 000005
【図５】
0003590829.tif 000006